(57)【要約】【課題】  金属製の線材にて構成されたばね部が早期に損傷してしまうことを抑制可能な懸架装置用スプリングの一例を開示する。【解決手段】  線材２Ａが嵌り込んだ溝部３Ａを有するとともに、接着剤にて当該線材２Ａに接着されたシート部３を備えるスプリングにおいて、溝部３Ａからはみ出した接着材の最小厚み寸法Ｔｂが、溝部３Ａに形成された接着層の厚み寸法Ｔｄ以上となるように構成されている。これにより、はみ出し部Ｂｏと接着層ＡＤとの境界部の肉厚寸法が過度に小さくなってしまうことが抑制され得る。したがって、はみ出し部Ｂｏが破断してしまうことが抑制されるので、ばね部２が早期に損傷してしまうことが抑制され得る。【選択図】図４
2019157887.tif 000002
【特許請求の範囲】
【請求項１】
車両用懸架装置に用いられるスプリングにおいて、
ばね部を構成する金属製の線材であって、表面に被覆層が設けられた線材と、
前記ばね部に作用する荷重を受けるゴム製のシート部であって、前記線材が嵌り込んだ溝部を有するとともに、接着剤にて当該線材に接着されたシート部とを備え、
前記溝部からはみ出した接着材の最小厚み寸法は、前記溝部に形成された接着層の厚み寸法以上である懸架装置用スプリング。
【請求項２】
車両用懸架装置に用いられるスプリングにおいて、
ばね部を構成する金属製の線材であって、表面に被覆層が設けられた線材と、
前記ばね部に作用する荷重を受けるゴム製のシート部であって、前記線材が嵌り込んだ溝部を有するとともに、接着剤にて当該線材に接着されたシート部とを備え、
前記溝部の幅方向端部には、接着剤を溜めることにより、当該接着剤の流動を規制する接着剤溜まりが存在する懸架装置用スプリング。
【発明の詳細な説明】
【技術分野】
【０００１】
本開示は、車両用懸架装置に用いられるスプリングに関する。
【背景技術】
【０００２】
例えば、特許文献１に記載の発明では、金属製のコイルばねとプラスチック製の保持部材とが接着材を介して接着されている。当該発明では、保持部材に接着剤が塗布された後、当該塗布された部位にコイルばねが載置されることにより、コイルばねが保持部材に接着される。
【先行技術文献】
【特許文献】
【０００３】
【特許文献１】特開２０１７−１５２４９号公報
【発明の概要】
【発明が解決しようとする課題】
【０００４】
特許文献１に記載の懸架装置用スプリングでは、以下の理由により、コイルばねが早期に損傷するおそれがある。
すなわち、保持部材に接着剤が塗布された後、当該塗布された部位にコイルばねが載置されると、塗布された接着剤の一部が、コイルばねと保持部材との接着面からはみ出してしまう可能性が極めて高い。
【０００５】
車両振動や経年変化等により、接着面からはみ出した接着剤（以下、はみ出し部という。）と接着面に存在する接着剤（以下、接着層という。）との間に亀裂が発生し、はみ出し部が接着層から破断してしまう可能性がある。
【０００６】
はみ出し部が破断した場合において、コイルばねに荷重が作用して当該コイルばね及び保持部材が変形すると、当該はみ出し部がコイルばねに対して相対的に変位してしまう。はみ出し部がコイルばねに対して変位すると、はみ出し部の破断箇所とコイルばねとが擦れ合ってしまう。
【０００７】
はみ出し部の破断箇所とコイルばねとが擦れ合うと、コイルばねの表面に設けられた被覆層が損傷してしまうので、当該損傷した部位からコイルばねが早期に損傷してしまう。
本開示は、上記点に鑑み、金属製の線材にて構成されたばね部が早期に損傷してしまうことを抑制可能な懸架装置用スプリングの一例を開示する。
【課題を解決するための手段】
【０００８】
車両用懸架装置スプリングは、ばね部（２）を構成する金属製の線材（２Ａ）であって、表面に被覆層が設けられた線材（２Ａ）と、ばね部（２）に作用する荷重を受けるゴム製のシート部（３）であって、線材（２Ａ）が嵌り込んだ溝部（３Ａ）を有するとともに、接着剤にて当該線材（２Ａ）に接着されたシート部（３）とを備える。
【０００９】
当該、溝部（３Ａ）からはみ出した接着材の最小厚み寸法（Ｔｂ）は、例えば、溝部（３Ａ）に形成された接着層の厚み寸法（Ｔｄ）以上であることが望ましい。
これにより、はみ出し部と接着層との境界部の肉厚寸法が過度に小さくなってしまうことが抑制され得る。したがって、はみ出し部が破断してしまうことが抑制されるので、ばね部（２）が早期に損傷してしまうことが抑制され得る。
【００１０】
なお、溝部（３Ａ）の幅方向端部に、接着剤を溜めることにより、当該接着剤の流動を規制する接着剤溜まり（４）が存在する構成であっても、はみ出し部と接着層との境界部の肉厚寸法が過度に小さくなってしまうことが抑制され得る。
【００１１】
したがって、接着剤溜まり（４）が存在する構成であっても、はみ出し部が破断してしまうことが抑制されるので、ばね部（２）が早期に損傷してしまうことが抑制され得る。
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【００１２】
【図１】第１実施形態に係るスプリングを示す図である。
【図２】第１実施形態におけるシート部を示す図である。
【図３】第１実施形態における接着層を示す図である。
【図４】第１実施形態の特徴部である図２のＡ部を示す図である。
【図５】第１実施形態の特徴を説明するための図である。
【図６】第２実施形態の特徴部である図２のＡ部相当を示す図である。
【図７】第３実施形態の特徴部である図２のＡ部相当を示す図である。
【図８】第３実施形態の特徴部である図２のＡ部相当を示す図である。
【発明を実施するための形態】
【００１３】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１４】
なお、各図に付された方向を示す矢印等は、各図相互の関係を理解し易くするために記載されたものである。本明細書に記載された発明は、各図に付された方向に限定されるものではない。
【００１５】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。
【００１６】
本実施形態は、上記の製造方法を車両用懸架装置用スプリングの製造方法に適用した例である。
（第１実施形態）
１．懸架装置用スプリングの構成
図１に示される懸架装置用スプリング１（以下、スプリング１という。）は、ばね部２及びシート部３等を少なくとも備える。ばね部２は、金属製の線材２Ａにより構成されたばねである。
【００１７】
線材２Ａの表面には、当該線材２Ａ全体を覆う被覆層２Ｂが設けられている。なお、本実施形態に係るばね部２は、コイル状に成形されたコイルばねである。被覆層２Ｂは、熱硬化性樹脂等の樹脂が焼き付け塗装にて形成された薄膜である。
【００１８】
シート部３は、ばね部２に作用する荷重を受けるラバーシートである。当該シート部３は、ゴム等の弾性変形可能な樹脂にて構成されている。シート部３には、図２に示されるように、線材２Ａが嵌り込む溝部３Ａが設けられている。
【００１９】
溝部３Ａは、座巻部を構成する線材２Ａが嵌り込む溝である。つまり、シート部３は、コイル状に構成されたばね部２の軸線方向一端に配置され、座巻部を構成する線材２Ａに接触する（図１参照）。以下の説明に係る線材２Ａは、線材２Ａのうち座巻部を構成する部分である。
【００２０】
線材２Ａは、接着剤にてシート部３、つまり溝部３Ａの内壁面に接着されている。このため、線材２Ａと溝部３Ａの内壁面との間には、図３に示されるように、当該接着材による接着層ＡＤが形成されている。
【００２１】
２．接着部の構造
接着部Ａにおいては、図４に示されるように、溝部３Ａからはみ出した接着材（以下、はみ出し部Ｂｏという。）の最小厚み寸法Ｔｂは、溝部３Ａに形成された接着層ＡＤの厚み寸法Ｔｄ以上となるように構成されている。
【００２２】
具体的には、溝部３Ａの幅方向端部には、接着剤を溜めることにより、当該接着剤の流動を規制する接着剤溜まり４が設けられている。本実施形態に係る接着剤溜まり４は、溝部３Ａの幅方向端部に設けられた略平面状に構成された平面部４Ａにより構成されている。
【００２３】
はみ出し部Ｂｏの最小厚み寸法Ｔｂとは、例えば、図４に示される構成においては、平面部４Ａと線材２Ａとが最も近接した部位における距離に略等しい寸法である。接着層ＡＤの厚み寸法Ｔｄとは、例えば、接着層ＡＤの最小厚み寸法、又は最小厚み寸法Ｔｂに近接している部位における接着層ＡＤの厚み寸法をいう。
【００２４】
なお、本実施形態では、はみ出し部Ｂｏの最小厚み寸法Ｔｂが接着層ＡＤの厚み寸法Ｔｄより大きくなるように、接着剤溜まり４の大きさ、つまり平面部４Ａの幅寸法Ｗｏが決められている。
【００２５】
３．本実施形態に係るスプリングの特徴
図５に示されるように、溝部３Ａの幅方向端部に接着剤溜まり４が設けられていない場合には、溝部３Ａの幅方向端にはみ出した接着剤は、シート部３の上面３Ｂに沿って流れるため、はみ出し部Ｂｏの最小厚み寸法Ｗｂが過度に小さくなる可能性が極めて高い。
【００２６】
これに対して、本実施形態では、溝部３Ａの幅方向端にはみ出した接着剤は、接着剤溜まり４に溜まるので、はみ出し部Ｂｏの最小厚み寸法Ｔｂが過度に小さくなることが抑制され得る。したがって、はみ出し部Ｂｄが破断してしまうことが抑制されるので、ばね部２が早期に損傷してしまうことが抑制され得る。
【００２７】
（第２実施形態）
本実施形態に係る接着剤溜まり４は、図６に示されるように、溝部３Ａの幅方向端部に設けられた堰４Ｂにより構成されている。堰４Ｂは、溝部３Ａの幅方向端部において上方側に突出した状態で、溝部３Ａに沿って延びる突条により構成されたものである。
【００２８】
これにより、溝部３Ａの幅方向端にはみ出した接着剤は、堰４Ｂにより堰き止められるため、溝部３Ａの幅方向端にはみ出した接着剤は、接着剤溜まり４に溜まる。したがって、はみ出し部Ｂｏの最小厚み寸法Ｔｂが過度に小さくなることが抑制され得る。
【００２９】
なお、上述の実施形態と同一の構成要件等は、上述の実施形態と同一の符号が付されている。このため、本実施形態では、重複する説明は省略されている。
（第３実施形態）
第１実施形態に係る接着剤溜まり４は、溝部３Ａの幅方向端部の上端から略水平方向に拡がる平面部４Ａにより構成されていた（図４参照）。これに対して、本実施形態では、図７及び図８に示されるように、平面部４Ａ又は上面３Ｂと溝部３Ａの内壁面とが曲面４Ｃ又は平面４Ｄで繋がっている。
【００３０】
これにより、接着層ＡＤの厚みが溝部３Ａの幅方向端部に近づくほど、大きくなるので、はみ出し部Ｂｏの最小厚み寸法Ｔｂが過度に小さくなることが抑制され得る。
なお、上述の実施形態と同一の構成要件等は、上述の実施形態と同一の符号が付されている。このため、本実施形態では、重複する説明は省略されている。
【００３１】
（その他の実施形態）
上述の実施形態では、接着剤溜まり４を利用して、はみ出し部Ｂｏの最小厚み寸法Ｔｂが接着層ＡＤの厚み寸法Ｔｄ以上となるように構成されていた。しかし、本開示明細書に開示された発明はこれに限定されるものではない。すなわち、最小厚み寸法Ｔｂが接着層ＡＤの厚み寸法Ｔｄ以上となる構成であれば、接着剤溜まり４以外の構成であってもよい。
【００３２】
第２実施形態に係る堰４Ｂは、溝部３Ａに沿って連続的に延びた突条であった。しかし、当該堰４Ｂの構成は、溝部３Ａに沿って連続的に延びた突条に限定されない。すなわち、例えば、溝部３Ａに沿って点在する複数の突起等、又は１つの突起若しくは突条で構成されていてもよい。
【００３３】
さらに、本開示は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００３４】
１… 懸架装置用スプリング
２… ばね部
２Ａ… 線材
２Ｂ… 被覆層
３… シート部
３Ａ… 溝部
３Ｂ… 上面
４Ａ… 平面部
４Ｂ… 堰
４Ｃ… 曲面
４Ｄ… 平面
ＡＤ… 接着層
【図１】
2019157887.tif 000003
【図２】
2019157887.tif 000004
【図３】
2019157887.tif 000005
【図４】
2019157887.tif 000006
【図５】
2019157887.tif 000007
【図６】
2019157887.tif 000008
【図７】
2019157887.tif 000009
【図８】
2019157887.tif 000010